(57)【要約】  ニスの塗布異常を防止する印刷装置、印刷方法、ニス情報出力方法及び記録媒体情報出力方法を提供する。インク中の成分を凝集させる凝集成分として酸を含み、記録媒体の記録面との接触角が７０°以上である処理液を記録面に付与する処理液付与部と、処理液が付与された記録面にインクジェットヘッドからインクを付与して画像を記録する画像記録部と、ニス版をインクが付与された記録面に接触してニス版に保持したニスを記録面に転写塗布するニス塗布ローラと、チャンバから供給されたニスをニス版に転写するアニロクスローラと、を有するニス塗布部と、を備え、ニスの皮膜化時間は９分以上である印刷装置によって上記課題を解決する。
2019054150.tif 000002
【特許請求の範囲】
【請求項１】
インク中の成分を凝集させる凝集成分として酸を含み、記録媒体の記録面との接触角が７０°以上である処理液を前記記録面に付与する処理液付与部と、
前記処理液が付与された前記記録面にインクジェットヘッドからインクを付与して画像を記録する画像記録部と、
選択された領域にニスを保持するニス版が周面に取り付けられ、前記ニス版を前記インクが付与された記録面に接触して前記ニス版に保持したニスを前記記録面に転写塗布するニス塗布ローラと、チャンバから供給されたニスを前記ニス版に転写するアニロクスローラと、を有するニス塗布部と、
を備え、
５グラムの前記ニスを入れた直径６０ミリメートルの平らな底を有するプラスチック製の容器を８０℃のプレート上に水平に載置してから、前記容器を水平に対して４５°の角度で傾けた際に前記容器内の前記ニスにシワが発生するまでの時間を皮膜化時間とすると、前記ニスの前記皮膜化時間は９分以上である印刷装置。
【請求項２】
前記ニスは、乾燥防止剤が添加されている請求項１に記載の印刷装置。
【請求項３】
前記ニスは、前記皮膜化時間が１２分以上である請求項１又は２に記載の印刷装置。
【請求項４】
前記処理液付与部は、２．０グラム毎平方メートル以下の付与量で前記処理液を付与する請求項１から３のいずれか１項に記載の印刷装置。
【請求項５】
前記ニス塗布部は、３．５グラム毎平方メートル以上の付与量で前記ニスを付与する請求項１から４のいずれか１項に記載の印刷装置。
【請求項６】
前記画像記録部は、色材成分を含有する着色インクが付与される領域以外の領域に前記色材成分を非含有のクリアインクを付与する請求項１から５のいずれか１項に記載の印刷装置。
【請求項７】
前記着色インクと前記クリアインクとは前記凝集成分の量が等しい請求項６に記載の印刷装置。
【請求項８】
前記ニス塗布部は、前記ニス版に保持したニスを前記記録面に転写塗布する位置から前記アニロクスローラから前記ニス版に新たなニスが転写される位置までの間の位置において前記ニス版に接触して前記ニス版を清掃する清掃部を備えた請求項１から７のいずれか１項に記載の印刷装置。
【請求項９】
インク中の成分を凝集させる凝集成分として酸を含む処理液を記録媒体の記録面に付与する処理液付与部と、
前記処理液が付与された前記記録面にインクジェットヘッドからインクを付与して画像を記録する画像記録部と、
選択された領域にニスを保持するニス版が周面に取り付けられ、前記ニス版を前記インクが付与された記録面に接触して前記ニス版に保持したニスを前記記録面に転写塗布するニス塗布ローラと、チャンバから供給されたニスを前記ニス版に転写するアニロクスローラと、を有するニス塗布部と、
前記記録媒体の情報を入力する記録媒体情報入力部と、
前記処理液の情報を入力する処理液情報入力部と、
前記処理液と前記記録媒体との接触角を取得する接触角取得部と、
５グラムの前記ニスを入れた直径６０ミリメートルの平らな底を有するプラスチック製の容器を８０℃のプレート上に水平に載置してから、前記容器を水平に対して４５°の角度で傾けた際に前記容器内の前記ニスにシワが発生するまでの時間を皮膜化時間とすると、複数のニスと前記複数のニスの前記皮膜化時間とをそれぞれ関連付けて記憶する記憶部と、
前記取得した接触角が７０°以上の場合に皮膜化時間が９分以上のニスの情報を出力する出力部と、
を備えた印刷装置。
【請求項１０】
インク中の成分を凝集させる凝集成分として酸を含む処理液を記録媒体の記録面に付与する処理液付与部と、
前記処理液が付与された前記記録面にインクジェットヘッドからインクを付与して画像を記録する画像記録部と、
選択された領域にニスを保持するニス版が周面に取り付けられ、前記ニス版を前記インクが付与された記録面に接触して前記ニス版に保持したニスを前記記録面に転写塗布するニス塗布ローラと、チャンバから供給されたニスを前記ニス版に転写するアニロクスローラと、を有するニス塗布部と、
前記処理液の情報を入力する処理液情報入力部と、
前記ニスの情報を入力するニス情報入力部と、
５グラムの前記ニスを入れた直径６０ミリメートルの平らな底を有するプラスチック製の容器を８０℃のプレート上に水平に載置してから、前記容器を水平に対して４５°の角度で傾けた際に前記容器内の前記ニスにシワが発生するまでの時間を皮膜化時間とすると、前記入力されたニスの皮膜化時間を取得する皮膜化時間取得部と、
複数の記録媒体と複数の処理液と組み合わせ毎の接触角をそれぞれ記憶する記憶部と、
前記取得した皮膜化時間が９分未満の場合に前記処理液との接触角が７０°未満の記録媒体の情報を出力する出力部と、
を備えた印刷装置。
【請求項１１】
インク中の成分を凝集させる凝集成分として酸を含み、記録媒体の記録面との接触角が７０°以上である処理液を前記記録面に付与する処理液付与工程と、
前記処理液が付与された前記記録面にインクジェットヘッドからインクを付与して画像を記録する画像記録工程と、
選択された領域にニスを保持するニス版が周面に取り付けられ、前記ニス版を前記インクが付与された記録面に接触して前記ニス版に保持したニスを前記記録面に転写塗布するニス塗布ローラと、チャンバから供給されたニスを前記ニス版に転写するアニロクスローラと、によって前記記録面にニスを塗布するニス塗布工程と、
を備え、
５グラムの前記ニスを入れた直径６０ミリメートルの平らな底を有するプラスチック製の容器を８０℃のプレート上に水平に載置してから、前記容器を水平に対して４５°の角度で傾けた際に前記容器内の前記ニスにシワが発生するまでの時間を皮膜化時間とすると、前記ニスの前記皮膜化時間は９分以上である印刷方法。
【請求項１２】
インク中の成分を凝集させる凝集成分として酸を含む処理液を記録媒体の記録面に付与する処理液付与部と、前記処理液が付与された前記記録面にインクジェットヘッドからインクを付与して画像を記録する画像記録部と、選択された領域にニスを保持するニス版が周面に取り付けられ、前記ニス版を前記インクが付与された記録面に接触して前記ニス版に保持したニスを前記記録面に転写塗布するニス塗布ローラと、チャンバから供給されたニスを前記ニス版に転写するアニロクスローラと、を有するニス塗布部と、を備えた印刷装置で使用するニスの情報を出力するニス情報出力方法であって、
前記印刷装置で使用する記録媒体の情報を入力する記録媒体情報入力工程と、
前記印刷装置で使用する処理液の情報を入力する処理液情報入力工程と、
前記使用する処理液と前記使用する記録媒体との接触角を取得する接触角取得工程と、
５グラムの前記ニスを入れた直径６０ミリメートルの平らな底を有するプラスチック製の容器を８０℃のプレート上に水平に載置してから、前記容器を水平に対して４５°の角度で傾けた際に前記容器内の前記ニスにシワが発生するまでの時間を皮膜化時間とすると、前記取得した接触角が７０°以上の場合に皮膜化時間が９分以上のニスの情報を出力する出力工程と、
を備えたニス情報出力方法。
【請求項１３】
インク中の成分を凝集させる凝集成分として酸を含む処理液を記録媒体の記録面に付与する処理液付与部と、前記処理液が付与された前記記録面にインクジェットヘッドからインクを付与して画像を記録する画像記録部と、選択された領域にニスを保持するニス版が周面に取り付けられ、前記ニス版を前記インクが付与された記録面に接触して前記ニス版に保持したニスを前記記録面に転写塗布するニス塗布ローラと、チャンバから供給されたニスを前記ニス版に転写するアニロクスローラと、を有するニス塗布部と、を備えた印刷装置で使用する記録媒体の情報を出力する記録媒体情報出力方法であって、
前記印刷装置で使用する処理液の情報を入力する処理液情報入力工程と、
前記印刷装置で使用するニスの情報を入力するニス情報入力工程と、
５グラムの前記ニスを入れた直径６０ミリメートルの平らな底を有するプラスチック製の容器を８０℃のプレート上に水平に載置してから、前記容器を水平に対して４５°の角度で傾けた際に前記容器内の前記ニスにシワが発生するまでの時間を皮膜化時間とすると、前記入力されたニスの皮膜化時間を取得する皮膜化時間取得工程と、
前記取得した皮膜化時間が９分未満の場合に前記使用する処理液との接触角が７０°未満の記録媒体の情報を出力する出力工程と、
を備えた記録媒体情報出力方法。
【発明の詳細な説明】
【技術分野】
【０００１】
本発明は印刷装置、印刷方法、ニス情報出力方法及び記録媒体情報出力方法に係り、特に印刷後の記録媒体の表面にニスを塗布する印刷装置、印刷方法、ニス情報出力方法及び記録媒体情報出力方法に関する。
【背景技術】
【０００２】
印刷物の表面加工としてニスコートが知られている。ニスコートはニスを用いて印刷物の画像表面をコーティングする技術である。ニスコートは、例えば、画像の表面に光沢を与えて印刷物に高級感を与えたり、画像表面の耐擦性、及び耐薬品性の少なくともいずれかを向上させたりすることを目的として行われる。【０００３】
特許文献１には、印刷機の水性ニス乾燥装置及び印刷機において、ニスコーティング面の乾燥を最適温度で確実に行う技術が記載されている。【０００４】
特許文献２には、コータ液を枚葉シートへ転移塗布させるコータの運転制御に関し、コータ胴表面へ残留するコータ液の量を少なくできるようにする技術が記載されている。【０００５】
特許文献３には、画像表面をニスコートするか否かの情報を取得し、取得した情報に基づいて、インクを乾燥させる際の乾燥強度を決定する技術が記載されている。
【先行技術文献】
【特許文献】
【０００６】
【特許文献１】特開２００７−１１１８７３号公報
【特許文献２】特開２００３−４７８９７号公報
【特許文献３】特開２０１６−１０７４１９号公報
【発明の概要】
【発明が解決しようとする課題】
【０００７】
特許文献３に記載の技術では、用紙の印刷面にインクを凝集させる機能を備えた処理液を塗布し、処理液を乾燥させた用紙にインクジェット方式で画像を印刷することで、汎用の印刷用紙を使用した場合であっても高品質な画像の印刷を可能としている。このように、水性インクで画質を確保するためにインクを凝集させる機能をもつ処理液を用紙に塗布すると、用紙表面に酸が存在する状態になる。【０００８】
一方で、ニスはアニロクスローラからニス版に転写され、ニス版から用紙にさらに転写することで塗布されるが、ニス塗布領域と非塗布領域の境界では、アニロクスローラからニス版に供給されてから用紙に転写するまでの間にニスの乾燥が進行し、固化析出する状態になる。表面に酸が存在する用紙に、固化析出状態のニス版が接触することで、凝集反応が発生し、固化析出物が大きく成長するという問題点があった。【０００９】
しかしながら、特許文献３では、このような課題を認識していない。【００１０】
本発明はこのような事情に鑑みてなされたもので、ニスの塗布異常を防止する印刷装置、印刷方法、ニス情報出力方法及び記録媒体情報出力方法を提供することを目的とする。
【課題を解決するための手段】
【００１１】
上記目的を達成するために印刷装置の一の態様は、インク中の成分を凝集させる凝集成分として酸を含み、記録媒体の記録面との接触角が７０°以上である処理液を記録面に付与する処理液付与部と、処理液が付与された記録面にインクジェットヘッドからインクを付与して画像を記録する画像記録部と、選択された領域にニスを保持するニス版が周面に取り付けられ、ニス版をインクが付与された記録面に接触してニス版に保持したニスを記録面に転写塗布するニス塗布ローラと、チャンバから供給されたニスをニス版に転写するアニロクスローラと、を有するニス塗布部と、を備え、５グラムのニスを入れた直径６０ミリメートルの平らな底を有するプラスチック製の容器を８０℃のプレート上に水平に載置してから、容器を水平に対して４５°の角度で傾けた際に容器内のニスにシワが発生するまでの時間を皮膜化時間とすると、ニスの皮膜化時間は９分以上である。【００１２】
本態様によれば、記録媒体の記録面との接触角が７０°以上である処理液を記録面に付与し、処理液が付与された記録面にインクジェットヘッドからインクを付与して画像を記録し、皮膜化時間は９分以上であるニスを記録面に転写塗布するようにしたので、ニスの塗布異常を防止することができる。【００１３】
ニスは、乾燥防止剤が添加されていてもよい。これにより、ニスの皮膜化時間を適切に９分以上に調整することができる。【００１４】
ニスは、皮膜化時間が１２分以上であってもよい。これにより、ロバスト性を確保してニスの塗布異常を防止することができる。【００１５】
処理液付与部は、２．０グラム毎平方メートル以下の付与量で処理液を付与することが好ましい。処理液の塗布量を適切にすることで、ニスの塗布異常を防止することができる。【００１６】
ニス塗布部は、３．５グラム毎平方メートル以上の付与量でニスを付与することが好ましい。ニスの塗布量を適切にすることで、ニスの塗布異常を防止することができる。【００１７】
画像記録部は、色材成分を含有する着色インクが付与される領域以外の領域に色材成分を非含有のクリアインクを付与することが好ましい。クリアインクにより着色インクが付与されない領域の処理液の酸が消費されることで、ニスの塗布異常を防止することができる。【００１８】
また、着色インクとクリアインクとは凝集成分の量が等しいことが好ましい。凝集成分の量を等しくすることで、ニスの塗布異常を防止することができる。【００１９】
ニス塗布部は、ニス版に保持したニスを記録面に転写塗布する位置からアニロクスローラからニス版に新たなニスが転写される位置までの間の位置においてニス版に接触してニス版を清掃する清掃部を備えてもよい。この位置においてニス版を清掃することで、ニスの塗布異常を防止することができる。【００２０】
上記目的を達成するために印刷装置の一の態様は、インク中の成分を凝集させる凝集成分として酸を含む処理液を記録媒体の記録面に付与する処理液付与部と、処理液が付与された記録面にインクジェットヘッドからインクを付与して画像を記録する画像記録部と、選択された領域にニスを保持するニス版が周面に取り付けられ、ニス版をインクが付与された記録面に接触してニス版に保持したニスを記録面に転写塗布するニス塗布ローラと、チャンバから供給されたニスをニス版に転写するアニロクスローラと、を有するニス塗布部と、記録媒体の情報を入力する記録媒体情報入力部と、処理液の情報を入力する処理液情報入力部と、処理液と記録媒体との接触角を取得する接触角取得部と、５グラムのニスを入れた直径６０ミリメートルの平らな底を有するプラスチック製の容器を８０℃のプレート上に水平に載置してから、容器を水平に対して４５°の角度で傾けた際に容器内のニスにシワが発生するまでの時間を皮膜化時間とすると、複数のニスと複数のニスの皮膜化時間とをそれぞれ関連付けて記憶する記憶部と、取得した接触角が７０°以上の場合に皮膜化時間が９分以上のニスの情報を出力する出力部と、を備えた印刷装置である。【００２１】
本態様によれば、印刷装置で使用する処理液と記録媒体との接触角を取得し、取得した接触角が７０°以上の場合に皮膜化時間が９分以上のニスの情報を出力するようにしたので、出力されたニスを使用することでニスの塗布異常を防止することができる。【００２２】
上記目的を達成するために印刷装置の一の態様は、インク中の成分を凝集させる凝集成分として酸を含む処理液を記録媒体の記録面に付与する処理液付与部と、処理液が付与された記録面にインクジェットヘッドからインクを付与して画像を記録する画像記録部と、選択された領域にニスを保持するニス版が周面に取り付けられ、ニス版をインクが付与された記録面に接触してニス版に保持したニスを記録面に転写塗布するニス塗布ローラと、チャンバから供給されたニスをニス版に転写するアニロクスローラと、を有するニス塗布部と、処理液の情報を入力する処理液情報入力部と、ニスの情報を入力するニス情報入力部と、５グラムのニスを入れた直径６０ミリメートルの平らな底を有するプラスチック製の容器を８０℃のプレート上に水平に載置してから、容器を水平に対して４５°の角度で傾けた際に容器内のニスにシワが発生するまでの時間を皮膜化時間とすると、入力されたニスの皮膜化時間を取得する皮膜化時間取得部と、複数の記録媒体と複数の処理液と組み合わせ毎の接触角をそれぞれ記憶する記憶部と、取得した皮膜化時間が９分未満の場合に処理液との接触角が７０°未満の記録媒体の情報を出力する出力部と、を備えた印刷装置である。【００２３】
本態様によれば、印刷装置で使用するニスの皮膜化時間を取得し、取得した皮膜化時間が９分未満の場合に処理液との接触角が７０°未満の記録媒体の情報を出力するようにしたので、出力された用紙を使用することでニスの塗布異常を防止することができる。【００２４】
上記目的を達成するために印刷方法の一の態様は、インク中の成分を凝集させる凝集成分として酸を含み、記録媒体の記録面との接触角が７０°以上である処理液を記録面に付与する処理液付与工程と、処理液が付与された記録面にインクジェットヘッドからインクを付与して画像を記録する画像記録工程と、選択された領域にニスを保持するニス版が周面に取り付けられ、ニス版をインクが付与された記録面に接触してニス版に保持したニスを記録面に転写塗布するニス塗布ローラと、チャンバから供給されたニスをニス版に転写するアニロクスローラと、によって記録面にニスを塗布するニス塗布工程と、を備え、５グラムのニスを入れた直径６０ミリメートルの平らな底を有するプラスチック製の容器を８０℃のプレート上に水平に載置してから、容器を水平に対して４５°の角度で傾けた際に容器内のニスにシワが発生するまでの時間を皮膜化時間とすると、ニスの皮膜化時間は９分以上である。【００２５】
本態様によれば、記録媒体の記録面との接触角が７０°以上である処理液を記録面に付与し、処理液が付与された記録面にインクジェットヘッドからインクを付与して画像を記録し、皮膜化時間は９分以上であるニスを記録面に転写塗布するようにしたので、ニスの塗布異常を防止することができる。【００２６】
上記目的を達成するためにニス情報出力方法の一の態様は、インク中の成分を凝集させる凝集成分として酸を含む処理液を記録媒体の記録面に付与する処理液付与部と、処理液が付与された記録面にインクジェットヘッドからインクを付与して画像を記録する画像記録部と、選択された領域にニスを保持するニス版が周面に取り付けられ、ニス版をインクが付与された記録面に接触してニス版に保持したニスを記録面に転写塗布するニス塗布ローラと、チャンバから供給されたニスをニス版に転写するアニロクスローラと、を有するニス塗布部と、を備えた印刷装置で使用するニスの情報を出力するニス情報出力方法であって、印刷装置で使用する記録媒体の情報を入力する記録媒体情報入力工程と、印刷装置で使用する処理液の情報を入力する処理液情報入力工程と、使用する処理液と使用する記録媒体の記録面との接触角を取得する接触角取得工程と、５グラムのニスを入れた直径６０ミリメートルの平らな底を有するプラスチック製の容器を８０℃のプレート上に水平に載置してから、容器を水平に対して４５°の角度で傾けた際に容器内のニスにシワが発生するまでの時間を皮膜化時間とすると、取得した接触角が７０°以上の場合に皮膜化時間が９分以上のニスの情報を出力する出力工程と、を備えたニス情報出力方法である。【００２７】
本態様によれば、印刷装置で使用する記録媒体の情報と処理液の情報を取得し、処理液の記録媒体との接触角を取得し、取得した接触角が７０°以上の場合に皮膜化時間が９分以上のニスの情報を出力するようにしたので、ニスの塗布異常を防止することができる。【００２８】
上記目的を達成するために記録媒体情報出力方法の一の態様は、インク中の成分を凝集させる凝集成分として酸を含む処理液を記録媒体の記録面に付与する処理液付与部と、処理液が付与された記録面にインクジェットヘッドからインクを付与して画像を記録する画像記録部と、選択された領域にニスを保持するニス版が周面に取り付けられ、ニス版をインクが付与された記録面に接触してニス版に保持したニスを記録面に転写塗布するニス塗布ローラと、チャンバから供給されたニスをニス版に転写するアニロクスローラと、を有するニス塗布部と、を備えた印刷装置で使用する記録媒体の情報を出力する記録媒体情報出力方法であって、印刷装置で使用する処理液の情報を入力する処理液情報入力工程と、印刷装置で使用するニスの情報を入力するニス情報入力工程と、５グラムのニスを入れた直径６０ミリメートルの平らな底を有するプラスチック製の容器を８０℃のプレート上に水平に載置してから、容器を水平に対して４５°の角度で傾けた際に容器内のニスにシワが発生するまでの時間を皮膜化時間とすると、入力されたニスの皮膜化時間を取得する皮膜化時間取得工程と、取得した皮膜化時間が９分未満の場合に使用する処理液との接触角が７０°未満の記録媒体の情報を出力する出力工程と、を備えた記録媒体情報出力方法である。【００２９】
本態様によれば、印刷装置で使用する処理液の情報とニスの情報を取得し、取得したニスの皮膜化時間を取得し、取得した皮膜化時間が９分未満の場合は使用する処理液との接触角が７０°未満の記録媒体を選択し、取得した皮膜化時間が９分以上の場合は予め定められた記録媒体を選択し、選択した記録媒体の情報を出力するようにしたので、ニスの塗布異常を防止することができる。
【発明の効果】
【００３０】
本発明によれば、ニスの塗布異常を防止することができる。
【図面の簡単な説明】
【００３１】
【図１】インクジェット印刷装置の全体構成図
【図２】図１のＡ矢視展開図
【図３】図１のＡ矢視展開図
【図４】図１のＡ矢視展開図
【図５】ニスの皮膜化時間の測定方法の処理を示すフローチャート
【図６】先端塗布異常の発生レベルを評価した結果を示す図表
【図７】ニスに乾燥防止剤を添加した場合の先端塗布異常の発生レベルについて評価した結果を示す図表
【図８】非画像部分にクリアインクを付与した場合の先端塗布異常の発生レベルについて評価した結果を示す図表
【図９】ニス版を清掃するクリーニング機構を設けた場合の先端塗布異常の発生レベルについて評価した結果を示す図表
【図１０】選択装置のブロック図
【図１１】ニス情報出力方法の処理を示すフローチャート
【図１２】記録媒体情報出力方法の処理を示すフローチャート
【発明を実施するための形態】
【００３２】
以下、添付図面に従って本発明の好ましい実施の形態について詳説する。本明細書では、同一の構成要素には同一の符号を付して、重複する説明を省略する。
【００３３】
＜インクジェット記録装置の説明＞
〔全体構成〕
図１は、本実施形態に係るインクジェット印刷装置１（印刷装置の一例）の全体構成図である。インクジェット印刷装置１は、インライン方式を適用してニスコートが可能な印刷装置として構成される。インクジェット印刷装置１は、給紙部１０と、処理液塗布部２０と、処理液乾燥部３０と、画像記録部４０と、インク乾燥部５０と、ニス塗布部６０と、ニス後処理部７０と、集積部８０と、を備える。
【００３４】
〔給紙部〕
給紙部１０は、枚葉紙である用紙Ｐ（記録媒体の一例）を一枚ずつ給紙する。給紙部１０は、給紙装置１１と、フィーダボード１２と、給紙ドラム１３と、を備える。用紙Ｐは、給紙装置１１の給紙台の上に、用紙束の状態で載置される。用紙Ｐの種類は、特に限定されないが、例えば、上質紙、コート紙、及びアート紙などの汎用の印刷用紙を用いることができる。汎用の印刷用紙とは、いわゆるインクジェット専用紙ではなく、オフセット印刷などの接触式の印刷においても一般的に使用される塗工紙、又は非塗工紙をいい、セルロースを主体とした用紙を指す。
【００３５】
給紙装置１１は、給紙台の上に積まれた用紙Ｐを用紙束の上から順に一枚ずつ、一定の給紙期間間隔で引き上げてフィーダボード１２へと給紙する。フィーダボード１２は、給紙装置１１から受け取った用紙Ｐを一定の搬送経路に沿って搬送して、給紙ドラム１３に受け渡す。
【００３６】
給紙ドラム１３は、フィーダボード１２から受け取った用紙Ｐを一定の搬送経路に沿って搬送して、処理液塗布ドラム２１に受け渡す。給紙ドラム１３は、そのドラム周面に不図示のグリッパを備える。給紙ドラム１３は、不図示のグリッパを用いて用紙Ｐの先端を把持して回転し、用紙Ｐをドラム周面に巻き掛けて搬送する。
【００３７】
〔処理液塗布部〕
処理液塗布部２０は、用紙Ｐに処理液を塗布（付与の一例）する。本実施形態の処理液は、画像記録部４０で用紙Ｐに付与するインク中の成分を凝集させる凝集剤（凝集成分の一例）を含む液体である。このような処理液を用紙Ｐの記録面に塗布してからインクを付与することにより、汎用の印刷用紙を用いた場合であっても、付与されたインクが着弾干渉等を起こすことなく、高品位な印刷を行うことができる。
【００３８】
凝集剤としては、インク組成物のペーハーを変化させることができる化合物が好ましく、水溶性の高い酸性物質（酸の一例）がより好ましい。酸性物質は、一種単独で用いてもよく、また、二種以上を併用してもよい。ペーハーは、ｐＨ、水素イオン指数、及び水素イオン濃度指数と同義である。
【００３９】
このような処理液を用紙Ｐに塗布して印刷を行う場合、汎用の印刷用紙を使用しても、インクの広がり、及びインクの移動の少なくともいずれか一方が抑制され、高品質な画像の形成が可能になる。処理液は、前処理液、プレコート液、又はプレコンディショニング液などの用語で呼ばれる場合がある。溶剤中に色材成分を溶解させたインクが用いられる場合、溶剤中に溶解した色材成分を不溶化させる処理液が適用される。
【００４０】
処理液塗布部２０は、処理液塗布ドラム２１と、処理液塗布装置２２と、を備える。処理液塗布ドラム２１は、給紙ドラム１３から受け取った用紙Ｐを一定の搬送経路に沿って搬送して、処理液乾燥ドラム３１に受け渡す。処理液塗布ドラム２１は、そのドラム周面に不図示のグリッパを備える。処理液塗布ドラム２１は、不図示のグリッパを用いて用紙Ｐの先端を把持して回転し、用紙Ｐをドラム周面に巻き掛けて搬送する。処理液塗布部２０は処理液付与部の一例である。
【００４１】
処理液塗布装置２２は、処理液塗布ドラム２１を用いて搬送される用紙Ｐの記録面に処理液を塗布する。本実施形態の処理液塗布装置２２は、ローラ塗布方式により、処理液を用紙Ｐに塗布する。即ち、処理液塗布装置２２は、塗布ローラを含み、周面に処理液が付与された塗布ローラを用紙Ｐの印刷面に押し当てて、用紙Ｐに処理液を塗布する。なお、処理液塗布装置２２の塗布方式は、特に限定されるものではなく、ローラ塗布方式に代えて、インクジェット方式、又はスプレイ方式などの他の塗布方式を採用してもよい。
【００４２】
〔処理液乾燥部〕
処理液乾燥部３０は、用紙Ｐに塗布された処理液を乾燥させる。処理液乾燥部３０は、処理液乾燥ドラム３１と、第１用紙ガイド３２と、ドライヤ３３と、を備える。
【００４３】
処理液乾燥ドラム３１は、処理液塗布ドラム２１から受け取った用紙Ｐを一定の搬送経路に沿って搬送して、画像形成ドラム４１に受け渡す。処理液乾燥ドラム３１は、そのドラム周面に不図示のグリッパを備える。給紙ドラム１３は、不図示のグリッパを用いて用紙Ｐの先端を把持して回転し、用紙Ｐをドラム周面に巻き掛けて搬送する。
【００４４】
第１用紙ガイド３２は、処理液乾燥ドラム３１における用紙Ｐの搬送経路に沿って配置され、用紙Ｐの搬送をガイドする。用紙Ｐは、第１用紙ガイド３２の上を摺動しながら搬送される。
【００４５】
ドライヤ３３は、処理液乾燥ドラム３１を用いて搬送される用紙Ｐの第１面に熱風を吹き付けて、処理液が塗布された用紙Ｐの第１面を加熱する。ドライヤ３３は、処理液乾燥ドラム３１の内側に配置される。ドライヤ３３は、例えば、ハロゲンヒータ、又は赤外線ヒータ等の熱源と、その熱源を用いて熱せられた気体を送風する送風手段と、を備える。熱源を用いて熱せられる気体は、例えば空気である。空気に代えて、又は空気に加えて他の気体を用いてもよい。
【００４６】
送風手段として、例えば、ファン及びブロアの少なくとも一方を用いることができる。ドライヤ３３がヒータと送風手段とを含んで構成される場合、ヒータの点灯本数、及び点灯デューティ比の少なくともいずれか一方の調整により、加熱強度を制御することができる。
【００４７】
用紙Ｐは、処理液乾燥ドラム３１を用いて搬送される過程で第１面にドライヤ３３からの熱風が吹き付けられる。これにより、用紙Ｐの処理液塗布面である第１面が加熱され、用紙Ｐに塗布された処理液の溶媒成分が乾燥除去される。この結果、用紙Ｐの第１面にインク凝集層が形成される。インク凝集層とは、処理液中に含まれるインク凝集剤の層をいう。処理液乾燥部３０を用いて、処理液中の水分が蒸発し、処理液のインク凝集剤の薄膜層であるインク凝集層が用紙Ｐの第１面に形成される。
【００４８】
〔画像記録部〕
画像記録部４０は、インクジェット方式を用いて用紙Ｐの第１面に画像を形成する。画像記録部４０は、画像形成ドラム４１と、用紙押さえローラ４２と、インクジェットヘッド４３Ｃ、インクジェットヘッド４３Ｍ、インクジェットヘッド４３Ｙ、及びインクジェットヘッド４３Ｋと、スキャナ４４と、を備える。
【００４９】
画像形成ドラム４１は、処理液乾燥ドラム３１から用紙Ｐを受け取り、受け取った用紙Ｐを一定の搬送経路に沿って搬送し、第１チェーンデリバリ５１に受け渡す。画像形成ドラム４１は、周面に備えられた不図示のグリッパを用いて用紙Ｐの先端を把持して回転し、用紙Ｐを周面に巻き付けて搬送する。
【００５０】
画像形成ドラム４１の周面には、用紙吸着のための不図示の吸引穴が多数形成されており、吸引穴に発生させた負圧を用いて用紙Ｐが画像形成ドラム４１の周面に吸着保持される。なお、画像形成ドラム４１は、負圧吸引を用いて用紙Ｐを吸着固定する構成に限らず、例えば、静電吸着により用紙Ｐを吸着保持する構成とすることもできる。
【００５１】
用紙押さえローラ４２は、用紙Ｐを画像形成ドラム４１の周面に押し付けて、画像形成ドラム４１の周面に密着させる。
【００５２】
インクジェットヘッド４３Ｃ、インクジェットヘッド４３Ｍ、インクジェットヘッド４３Ｙ、及びインクジェットヘッド４３Ｋは、それぞれシアン、マゼンタ、イエロ、及びブラックのインクの液滴を吐出する記録ヘッドである。
【００５３】
シアン、マゼンタ、イエロ、及びブラックのインクは、色材成分として顔料の少なくとも一種を含有する。顔料としては、特に制限はなく、目的に応じて適宜選択することができ、例えば、有機顔料、又は無機顔料のいずれであってもよい。顔料は、水に殆ど不溶であるか又は難溶である顔料であることが、インク着色性の点で好ましい。インクジェットヘッド４３Ｃ、インクジェットヘッド４３Ｍ、インクジェットヘッド４３Ｙ、及びインクジェットヘッド４３Ｋには、それぞれ不図示のインクタンクから各色のインクが供給される。
【００５４】
インクジェットヘッド４３Ｃ、インクジェットヘッド４３Ｍ、インクジェットヘッド４３Ｙ、及びインクジェットヘッド４３Ｋの各々は、ライン型のインクジェットヘッドで構成される。即ち、インクジェットヘッド４３Ｃ、インクジェットヘッド４３Ｍ、インクジェットヘッド４３Ｙ、及びインクジェットヘッド４３Ｋは、最大の用紙幅の描画可能範囲に対応する長さにわたってノズルが配列されたノズル列を有するラインヘッドで構成される。
【００５５】
図１には示していないが、インクジェットヘッド４３Ｃ、インクジェットヘッド４３Ｍ、インクジェットヘッド４３Ｙ、及びインクジェットヘッド４３Ｋの各々のノズル面には、インクの吐出口である複数個のノズルが二次元配列されている。ノズル面とは、ノズルが形成されている吐出面をいい、インク吐出面、又はノズル形成面などの用語と同義である。二次元配列された複数個のノズルの配列を二次元ノズル配列という。
【００５６】
二次元ノズル配列を有するインクジェットヘッドの場合、二次元ノズル配列における各ノズルをノズル列方向に沿って並ぶように投影した投影ノズル列は、ノズル列方向について、最大の記録解像度を達成するノズル密度で各ノズルが概ね等間隔で並ぶ一列のノズル列と等価なものと考えることができる。投影ノズル列は、二次元ノズル配列における各ノズルをノズル列方向に沿って正射影したノズル列と同義である。
【００５７】
概ね等間隔とは、インクジェット印刷装置で記録可能な打滴点として実質的に等間隔であることを意味している。例えば、製造上の誤差、及び着弾干渉による媒体上での液滴の移動の少なくともいずれか一方を考慮して僅かに間隔を異ならせたものなどが含まれている場合も、等間隔の概念に含まれる。投影ノズル列は実質的なノズル列に相当する。投影ノズル列を考慮すると、ノズル列方向に沿って並ぶ投影ノズルの並び順に、各ノズルにノズル位置を表すノズル番号を対応付けることができる。
【００５８】
インクジェットヘッド４３Ｃ、インクジェットヘッド４３Ｍ、インクジェットヘッド４３Ｙ、及びインクジェットヘッド４３Ｋのノズルの配列形態は限定されず、様々なノズル配列の形態を採用することができる。例えば、マトリクス状の二次元配列の形態に代えて、一列の直線配列、Ｖ字状のノズル配列、及びＶ字状配列を繰り返し単位とするＷ字状などのような折れ線状のノズル配列なども可能である。
【００５９】
インクジェットヘッド４３Ｃ、インクジェットヘッド４３Ｍ、インクジェットヘッド４３Ｙ、及びインクジェットヘッド４３Ｋは、用紙Ｐの搬送経路に沿って一定の間隔をもって配置される。インクジェットヘッド４３Ｃ、インクジェットヘッド４３Ｍ、インクジェットヘッド４３Ｙ、及びインクジェットヘッド４３Ｋは、用紙Ｐの搬送方向と直交する方向に延在するように設置される。用紙Ｐの搬送方向と直交する方向は、画像形成ドラム４１の回転軸と平行な方向である。
【００６０】
画像形成ドラム４１を用いて搬送される用紙Ｐに向けて、インクジェットヘッド４３Ｃ、インクジェットヘッド４３Ｍ、インクジェットヘッド４３Ｙ、及びインクジェットヘッド４３Ｋのうち少なくとも一つのヘッドからインクの液滴が吐出され、吐出された液滴が用紙Ｐに付着することにより、用紙Ｐに画像が記録される（画像記録工程の一例）。
【００６１】
本実施形態では、シアン、マゼンタ、イエロ、及びブラックの４色の着色インクを用いる構成を例示したが、インク色及び色数の組み合わせについては本実施形態に限定されず、必要に応じて淡インク、濃インク、及び特色インクなどを追加してもよい。例えば、ライトシアン、及びライトマゼンタなどのライト系インクを吐出するインクジェットヘッドを追加する構成、並びに緑色、又はオレンジ色などの特色のインクを吐出するインクジェットヘッドなどを追加する構成なども可能である。また、各色のインクジェットヘッドの配置順序も特に限定はない。
【００６２】
スキャナ４４は、インクジェットヘッド４３Ｃ、インクジェットヘッド４３Ｍ、インクジェットヘッド４３Ｙ、及びインクジェットヘッド４３Ｋを用いて用紙Ｐに形成された画像を光学的に読み取り、その読取画像を示す電子画像データを生成する装置である。スキャナ４４は、用紙Ｐ上に記録された画像を撮像して画像情報を示す電気信号に変換する撮像デバイスを含む。撮像デバイスとしてカラーＣＣＤ（charge coupled device）リニアイメージセンサを用いることができる。なお、カラーＣＣＤリニアイメージセンサに代えて、カラーＣＭＯＳ（complementary metal oxide semiconductor）リニアイメージセンサを用いることもできる。
【００６３】
スキャナ４４は、撮像デバイスの他、読み取り対象を照明する照明光学系及び撮像デバイスから得られる信号を処理してデジタル画像データを生成する信号処理回路を含んでもよい。
【００６４】
スキャナ４４は、インクジェットヘッド４３Ｃ、インクジェットヘッド４３Ｍ、インクジェットヘッド４３Ｙ、及びインクジェットヘッド４３Ｋのうち、用紙Ｐの搬送方向に対して最下流に位置するインクジェットヘッド４３Ｋの下流側に配置される。スキャナ４４は、画像形成ドラム４１による用紙Ｐの搬送中に用紙Ｐ上の画像の読み取りを行う。
【００６５】
インクジェットヘッド４３Ｃ、インクジェットヘッド４３Ｍ、インクジェットヘッド４３Ｙ、及びインクジェットヘッド４３Ｋの少なくとも一つを用いて画像が形成された用紙Ｐは、スキャナ４４の読取領域を通過する際に、用紙Ｐ上の画像が読み取られる。用紙Ｐに形成される画像としては、印刷ジョブで指定される印刷対象の画像の他、ノズルごとの吐出状態を検査するための不良ノズル検知パターン、印刷濃度補正用テストパターン、印刷濃度ムラ補正用テストパターン、及びその他の各種のテストパターンの少なくともいずれかが含まれ得る。
【００６６】
スキャナ４４を用いて読み取られた読取画像のデータを基に、印刷画像の検査が行われ、画質異常の有無が判断される。また、スキャナ４４を用いて読み取られた読取画像のデータを基に、印刷画像の濃度、又はインクジェットヘッド４３Ｃ、インクジェットヘッド４３Ｍ、インクジェットヘッド４３Ｙ、及びインクジェットヘッド４３Ｋの吐出不良等の情報を得ることができる。
【００６７】
〔インク乾燥部〕
インク乾燥部５０は、画像形成後の用紙Ｐを加熱して、インクを乾燥させる。インク乾燥部５０は、第１チェーンデリバリ５１と、第２用紙ガイド５２と、第１加熱装置５３と、を備える。
【００６８】
第１チェーンデリバリ５１は、画像形成ドラム４１から受け取った用紙Ｐを用紙Ｐの搬送経路に沿って搬送して、ニス塗布搬送ドラム６１に受け渡す。第１チェーンデリバリ５１は、一定の走行経路に沿って走行する一対の無端状のチェーンを備え、その一対のチェーンに掛け渡された不図示のグリッパを用いて用紙Ｐの先端を把持して、用紙Ｐを一定の搬送経路に沿って搬送する。
【００６９】
第２用紙ガイド５２は、第１チェーンデリバリ５１を用いて搬送される用紙Ｐの走行をガイドする。第２用紙ガイド５２は、中空のボード形状を有し、用紙Ｐの搬送経路に沿って平坦なガイド面を有する。用紙Ｐは、第２用紙ガイド５２のガイド面の上を摺動しながら搬送される。第２用紙ガイド５２のガイド面は、不図示の多数の吸引穴を備える。用紙Ｐは、吸引穴から吸引されながら、第２用紙ガイド５２のガイド面上を摺動する。これにより、用紙Ｐに張力を与えながら用紙Ｐを搬送できる。
【００７０】
第２用紙ガイド５２に代わり、用紙Ｐの後端を吸着保持する搬送ベルトを備えてもよい。搬送ベルトは、第１チェーンデリバリ５１と概ね同期して走行し、用紙Ｐを搬送ベルトの走行方向に沿って搬送する。
【００７１】
第１加熱装置５３は、第１チェーンデリバリ５１を用いて搬送される用紙Ｐの画像表面を加熱して、インクを乾燥させる。第１加熱装置５３は、例えば、棒状のヒータを用紙Ｐの搬送方向に沿って一定の間隔で複数本配置して構成される。各ヒータは、用紙Ｐの搬送方向と直交して配置される。ヒータには、例えば、ハロゲンヒータ及び赤外線ヒータのうち少なくとも一方が使用される。第１加熱装置５３は、ファン又はブロアなどの送風手段を含んでいてもよい。第１加熱装置５３は、ヒータの点灯本数、及び点灯デューティ比の少なくともいずれかの変更によって、乾燥させる強さの度合を示す乾燥強度が調節される。
【００７２】
用紙Ｐは、第１チェーンデリバリ５１を用いて搬送される過程で第１加熱装置５３を用いて画像表面が加熱され、インクが乾燥される。
【００７３】
インクジェット印刷装置１は、インク乾燥部５０におけるインク乾燥条件を適切に制御するために、第１温度検出部５６を備える。第１温度検出部５６は、第１加熱装置５３を用いて乾燥処理が施された用紙Ｐの温度を検出する。第１温度検出部５６を用いて検出される用紙Ｐの温度は、例えば、用紙Ｐの表面温度である。第１温度検出部５６には、非接触式の温度センサを用いることができる。
【００７４】
第１温度検出部５６は、第１加熱装置５３よりも用紙搬送経路の下流側、かつ、ニス塗布部６０に用紙Ｐを受け渡す手前の位置に配置される。第１温度検出部５６を用いて検出される温度情報に基づき、第１加熱装置５３の動作が制御される。
【００７５】
〔ニス塗布部〕
ニス塗布部６０は、画像形成後の用紙Ｐの画像表面にニスを塗布する。本実施形態で用いるニスは水性ニスである。水性ニスとは、水及び水に可溶な溶媒を含むニスである。
【００７６】
ニス塗布部６０は、ニス塗布搬送ドラム６１と、ニス塗布ローラ６２と、ニス版６３と、アニロクスローラ６４と、ニスチャンバ６５と、ニス循環装置６６と、を備える。
【００７７】
ニス塗布搬送ドラム６１は、第１チェーンデリバリ５１から用紙Ｐを受け取り、受け取った用紙Ｐを一定の搬送経路に沿って搬送し、第２チェーンデリバリ７１に受け渡す円筒形状のドラムである。ニス塗布搬送ドラム６１は、不図示の回転軸に固定されており、回転軸を中心に回転駆動される。さらに、ニス塗布搬送ドラム６１は、外周面に不図示の爪形状のグリッパを備えている。このグリッパは、第１チェーンデリバリ５１から用紙Ｐが受け渡される位置で用紙Ｐの先端を把持し、第２チェーンデリバリ７１に用紙Ｐを受け渡す位置で用紙Ｐの把持を解除する。
【００７８】
ニス塗布ローラ６２は、用紙Ｐの記録面にニスを転写塗布（コーティング）するローラである。ニス塗布ローラ６２の外周面には、表面に選択的にニスを保持するニス版６３（樹脂版あるいはブランケットとも呼ばれる）が巻かれている。ニス版６３は、表面に形成された凹凸により、選択された領域にニスを保持する。ニス塗布ローラ６２は、ニスを保持したニス版６３をインクが付与された用紙Ｐの記録面に接触させて、ニス版６３に保持したニスを記録面に転写塗布する。
【００７９】
アニロクスローラ６４は、ニス塗布ローラ６２のニス版６３の表面に一定量のニスを供給する計量ローラである。ニスチャンバ６５は、ニスを貯留しており、このニスにアニロクスローラ６４の一部を浸漬することで、アニロクスローラ６４にニスを供給する。ニスチャンバ６５へのニスの供給は、ニス循環装置６６によって行われる。
【００８０】
ニス循環装置６６は、不図示のニスタンク、ニスタンクからニスチャンバ６５へニスを供給するための不図示の供給ポンプ、及びニスチャンバ６５からニスタンクへニスを回収するための不図示の回収ポンプ等を備えている。ニス循環装置６６に、ニスに乾燥防止剤を添加するための不図示の乾燥防止剤添加装置を設けてもよい。
【００８１】
以上のように構成されたニス塗布部６０は、ニスチャンバ６５からアニロクスローラ６４にニスが供給される。ニスチャンバ６５から供給されたニスは、不図示のチャンバーブレードによりアニロクスローラ６４の表面から余分なニスが掻き落とされることで、アニロクスローラ６４にニスが定量計量かつ均一に供給される。続いて、アニロクスローラ６４からニス塗布ローラ６２のニス版６３に、計量されたニスが転写される。
【００８２】
一方、第１チェーンデリバリ５１からニス塗布搬送ドラム６１に受け渡された用紙Ｐは、ニス塗布搬送ドラム６１の外周面に保持され、ニス塗布搬送ドラム６１が回転することで搬送方向に搬送され、ニス塗布搬送ドラム６１とニス塗布ローラ６２との接触点（ニップ点）に到達する。
【００８３】
ニス塗布ローラ６２のニス版６３とニス塗布搬送ドラム６１によって搬送される用紙Ｐの記録面とがニップ点において接触し、ニップ点が順次用紙Ｐの記録面内の搬送方向に移動することで、ニス塗布ローラ６２のニス版６３にニスが選択的に塗布される。ニス版６３に塗布されて保持されたニスは、インク乾燥部５０により加熱された用紙Ｐの記録面に転写塗布される。即ち、ニス塗布部６０は、加熱後の用紙Ｐの記録面にニスを搬送方向に選択的に塗布する（ニス塗布工程の一例）。
【００８４】
なお、ニス塗布搬送ドラム６１の外周面に設けられた不図示のグリッパは、ニス塗布搬送ドラム６１の外周面よりも外側に突出している。したがって、ニス塗布搬送ドラム６１には、グリッパとニス塗布ローラ６２との衝突を回避するために、グリッパが配置された位置のニス塗布搬送ドラム６１の端部に不図示の乗り上げ台が設けられている。
【００８５】
ニス塗布ローラ６２によって用紙Ｐの記録面にニスを一様に転写塗布した後、ニス塗布搬送ドラム６１は、第２チェーンデリバリ７１に用紙Ｐを受け渡す。
【００８６】
ニス塗布部６０は、ニスチャンバ６５のチャンバーブレードとアニロクスローラ６４との接触圧力、及び／又はニス塗布ローラ６２のニス版６３とニス塗布搬送ドラム６１に保持された用紙Ｐとのニップ圧力を調整できるように構成されている。また、アニロクスローラ６４の表面とニス塗布ローラ６２のニス版６３の表面との線速度を調整可能に構成されており、用紙Ｐへのニスの供給量を調整することも可能である。
【００８７】
〔ニス後処理部〕
ニス後処理部７０は、ニス塗布部６０で用紙Ｐの表面に塗布されたニスの後処理を行う。水性ニスが使用される場合は、ニスの後処理として、加熱乾燥処理が施される。ここでいう加熱乾燥処理は、ニスが塗布された用紙Ｐの画像表面を加熱して、ニスを乾燥させる処理、即ち、ニス中の水分又は溶剤を揮発させる処理である。これにより、ニス層の表面のべたつきを抑制し、ブロッキングの発生を抑制する。
【００８８】
ニス後処理部７０は、第２チェーンデリバリ７１と、第三用紙ガイド７２と、第２加熱装置７０Ａとを備える。
【００８９】
第２チェーンデリバリ７１は、ニス塗布搬送ドラム６１から用紙Ｐを受け取り、受け取った用紙Ｐを一定の搬送経路に沿って搬送し、排紙位置で排紙する。第２チェーンデリバリ７１は、一定の走行経路に沿って走行する一対の無端状のチェーンを備え、その一対のチェーンに掛け渡された図示せぬグリッパを用いて用紙Ｐの先端を把持して、用紙Ｐを一定の搬送経路に沿って搬送する。
【００９０】
第三用紙ガイド７２は、第２チェーンデリバリ７１を用いて搬送される用紙Ｐの走行をガイドする。第三用紙ガイド７２は、中空のボード形状を有し、用紙Ｐの搬送経路に沿って平坦なガイド面を有する。用紙Ｐは、第三用紙ガイド７２のガイド面の上を摺動しながら搬送される。第三用紙ガイド７２のガイド面は、図示せぬ多数の吸引穴を備える。用紙Ｐは、吸引穴から吸引されながら、ガイド面上を摺動する。これにより、用紙Ｐに張力を与えながら用紙Ｐを搬送できる。
【００９１】
第２加熱装置７０Ａは、第２チェーンデリバリ７１を用いて搬送される用紙Ｐの画像表面を加熱して、画像表面に塗布されたニスを乾燥させる。第２加熱装置７０Ａは、第１加熱装置５３と同様の構成が適用可能である。
【００９２】
水性ニスが塗布された用紙Ｐは、第２チェーンデリバリ７１を用いて搬送される過程で第２加熱装置７０Ａを用いて画像表面が加熱され、塗布されたニスが乾燥される。
【００９３】
ニス後処理部７０は、用紙Ｐに塗布されたニスを冷却する図示せぬ冷却処理部を備えていてもよい。冷却処理部の構成例として、送風ファンが備えられる構成が挙げられる。ニスに対して冷却処理が施されることで、ニスの粘度を上昇させることができる。ニスの粘度を上昇させることで、インクの溶剤がニス中に混入されることが抑制され、ニスのべたつきの抑制が可能となる。
【００９４】
インクジェット印刷装置１は、ニス後処理部７０におけるニス乾燥条件を適切に制御するために、第２温度検出部９４を備える。第２温度検出部９４は、第２加熱装置７０Ａを用いてニスの後処理が施された後の用紙Ｐの温度を検出する。第２温度検出部９４を用いて検出される用紙Ｐの温度は、例えば、用紙Ｐの表面温度である。第２温度検出部９４には、非接触式の温度センサを用いることができる。
【００９５】
第２温度検出部９４は、第２加熱装置７０Ａよりも用紙搬送経路の下流側、かつ、集積部８０の手前の位置に配置される。第２温度検出部９４を用いて検出される温度情報に基づき、第２加熱装置７０Ａの動作が制御される。
【００９６】
〔集積部〕
集積部８０は、排紙される用紙Ｐをスタックする。集積部８０は、集積装置８１を備える。集積装置８１は、定められた排紙位置で第２チェーンデリバリ７１から開放される用紙Ｐを受け取り、排紙台の上に用紙Ｐを積み重ねて回収する。
【００９７】
〔パウダー噴霧部〕
インクジェット印刷装置１は、パウダー噴霧部９６を備える。パウダー噴霧部９６は、集積部８０にスタックされる用紙Ｐにパウダーを噴霧する。パウダーは、ブロッキング抑止効果を持つ粉末である。パウダーとして、印刷分野において使用されているブロッキング防止パウダーを用いることが可能である。
【００９８】
パウダーはブロッキング防止剤と呼ばれる場合がある。パウダーは、無機粒子、又は有機粒子のいずれであってもよい。パウダーの例として、シリコーン系樹脂をコーティングした澱粉、シリカ、アクリル系樹脂、スチレン系樹脂、シリコーン系樹脂、及び金属酸化物からなる群から選ばれる材料の粒子が好ましい。
【００９９】
アクリル系樹脂の例として、ポリメチルアクリレート、及びポリメチルメタアクリレートが挙げられる。スチレン系樹脂の例として、ポリスチレンが挙げられる。金属酸化物の例として、酸化チタン、酸化マグネシウム、及び酸化アルミニウムが挙げられる。
【０１００】
インクジェット方式の画像形成に用いられるインクは、インクジェット方式以外の印刷方式において用いられるインクに比べて水の含有量が高い。したがって、インクジェット印刷装置１において、印刷物の耐擦性を高め、かつ、画像における画像欠陥の発生を防ぐためには、パウダーは疎水性であることが好ましい。例えば、シリコーン系樹脂でコーティング処理した澱粉などの疎水処理されているパウダーがさらに好ましい。
【０１０１】
図１に示したパウダー噴霧部９６は、用紙Ｐの搬送経路において第２温度検出部９４よりも用紙Ｐの搬送方向の下流側の位置に配置される。パウダー噴霧部９６は、集積部８０にスタックされる前の用紙Ｐに、又は、集積部８０に載せた後の用紙Ｐにパウダーを噴霧する。
【０１０２】
パウダー噴霧部９６には、印刷分野においてパウダーの付与部として用いられているパウダースプレーノズルを適用可能である。パウダー噴霧部９６は、ブロワー式、又は電子噴霧式などの方式が適用可能である。
【０１０３】
以上のように構成されたインクジェット印刷装置１における印刷方法は、処理液塗布部２０において用紙Ｐの記録面に処理液を塗布し（処理液付与工程の一例）、画像記録部４０において処理液が塗布された記録面にインクを付与して画像を記録し（画像記録工程の一例）、ニス塗布部６０においてインクが付与された記録面にニスを転写する（ニス塗布工程の一例）。
【０１０４】
＜先端塗布異常の発生の原理＞
ニスの先端塗布異常の発生の原理について説明する。
【０１０５】
図２は、図１のＡ矢視展開図である。図２に示すニス版６３には、ニスが供給される平面部６３Ｎの他、ニス非塗布領域である矩形状の凹部６３Ａ及び円形状の凹部６３Ｂが設けられている。
【０１０６】
アニロクスローラ６４（図１参照）とニス塗布ローラ６２のニス版６３とのニップ点において、アニロクスローラ６４は平面部６３Ｎと接触し、凹部６３Ａ及び円形状の凹部６３Ｂとは接触しない。したがって、平面部６３Ｎにはアニロクスローラ６４からニスが転写され、凹部６３Ａ及び凹部６３Ｂにはニスが転写されない。
【０１０７】
したがって、ニス版６３と用紙Ｐの記録面とのニップ点においてニス版６３から用紙Ｐにニスが転写される際に、平面部６３Ｎに対応する用紙Ｐの位置にはニスが塗布され、凹部６３Ａ及び凹部６３Ｂに対応する用紙Ｐの位置にはニスが塗布されない。
【０１０８】
図２に示す例では、用紙Ｐには、平面部６３Ｎに対応してニスが塗布された領域ＡＮと、凹部６３Ａに対応してニスが塗布されない矩形状の領域ＡＡ、及び凹部６３Ｂに対応してニスが塗布されない円形状の領域ＡＢ、が存在する。
【０１０９】
ニスがニス版６３に保持されてから用紙Ｐに転写されるまでの時間において、ニス版６３のニス塗布領域である平面部６３Ｎと非塗布領域である凹部６３Ａ及び凹部６３Ｂとの境界でニスの乾燥が進行し、ニスが固化析出する状態になる。固化析出の度合いはニスの特性及び塗布量に依存する。
【０１１０】
ここで、用紙Ｐの表面には処理液の酸が存在する。酸が存在する用紙Ｐに、ニスが固化析出したニス版６３が接触することで、凝集反応が発生し、固化析出物が大きく成長する。
【０１１１】
ニス版６３が１周し、再度アニロクスローラ６４からニスが供給され、ニス版６３に残留したニス（固化析出物）が新たなニスと置換される。ここで、ニス版６３上に固化析出したニスが完全に除去されない場合、固化析出箇所にはニスが供給されない。したがって、用紙Ｐのニス塗布領域の始点（先端部分）において、ニスが正常に塗布されない現象（先端塗布異常）が発生する。ニスの固化析出は塗布枚数を重ねるごとにニス版６３上に蓄積していくため、塗布枚数が増えると先端塗布異常の程度は悪化していく。
【０１１２】
先端塗布異常は、吐出されたインクによって画像が形成される画像部分よりも、画像が形成されない非画像部分の方が発生しやすい。これは、画像部分は用紙Ｐ上の酸がインクとの凝集反応により消費されるのに対して、非画像部分はインクが付与されないため、用紙Ｐ上の酸が消費されないためである。
【０１１３】
また、先端塗布異常の発生のしやすさは用紙依存性があり、処理液が浸透しにくい用紙ほど先端塗布異常が発生しやすいことがわかった。
【０１１４】
なお、塗布異常が塗布領域の先端部分でのみ発生し、ニス塗布領域の終点（後端部分）で発生しない理由は、以下の通りである。即ち、後端部分は塗布領域の終点のため、後端部分以降塗布されるニスがいない。このため、反応範囲が限定され、ニスの固化析出が進行しない。一方、先端部分は塗布領域の始点のため、後続のニスを巻き込んで反応が進行し、固化析出が成長する。その結果、後端部分ではニス版６３が１周するとニスの固化析出物は除去できるレベルにあるが、先端部分では除去しきれずに蓄積していく。
【０１１５】
図３及び図４は、図１のＡ矢視展開図であり、先端塗布異常が発生した様子を示す概略図である。
【０１１６】
図３に示す例では、ニス版６３の平面部６３Ｎのうち凹部６３Ａと接する先端部分６３Ｃ、及び凹部６３Ｂと接する先端部分６３Ｄに固化析出物が付着し、平面部６３Ｎの境界が不明確となっている。このため、用紙Ｐのニスが塗布された領域ＡＮとニスが塗布されない矩形状の領域ＡＡとの境界部分ＡＣが直線でなくなっており、また、領域ＡＮとニスが塗布されない円形状の領域ＡＢとの境界部分ＡＤが円弧でなくなっている。
【０１１７】
また、図４に示す例では、ニス版６３の平面部６３Ｎのうち凹部６３Ａと接する先端部分６３Ｃ、及び凹部６３Ｂと接する先端部分６３Ｄに固化析出物が成長しており、平面部６３Ｎに正常にニスが転写されない。このため、用紙Ｐのニスが塗布された領域ＡＮとニスが塗布されない矩形状の領域ＡＡとの境界部分ＡＣ、及び領域ＡＮとニスが塗布されない円形状の領域ＡＢとの境界部分ＡＤに、正常にニスが塗布されていない。
【０１１８】
＜先端塗布異常の発生の評価＞
先端塗布異常の発生について、ニスの乾燥のしやすさ、及び用紙に対する処理液の浸透しやすさ、をパラメータとして評価を行った。
【０１１９】
〔ニスの皮膜化時間〕
本実施形態では、ニスの乾燥のしやすさを示す指標として、ニスの皮膜化時間を用いる。ニスの皮膜化時間は、直径６０ミリメートルの平らな底を有するプラスチック製の容器（カップ）に５グラムのニスを入れ、温度が８０℃のホットプレート上にカップを水平に載置し、１分毎にカップを水平に対して４５°の角度で傾け、カップ内のニスにシワが発生（皮膜化）するまでの時間と定義する。ここで、シワとは、ホットプレートから加えられた熱により粘度が上昇したニスがカップの傾斜によって流動することでニスの表面にできる、凹形状を指す。皮膜化時間が長いほど、そのニスは乾燥しにくいことを意味する。
【０１２０】
ニスの皮膜化時間の測定方法について、図５に示すフローチャートを用いて説明する。
【０１２１】
最初に、プラスチック製のカップ（容器の一例）に、皮膜化時間を測定したいニスを５ｇ入れる（ステップＳ２）。このカップの底は、直径６０ミリメートルの平らな底を有している。
【０１２２】
次に、このカップを８０℃に熱したホットプレートの上に水平に載置し（ステップＳ４）、カップをホットプレート上に載置してからの経過時間の計測を開始する（ステップＳ６）。
【０１２３】
続いて、カップをホットプレート上に載置してから１分間経過したか否かを判定する（ステップＳ８）。１分間が経過していない場合は、引き続きステップＳ８の判定処理を行う。
【０１２４】
１分間が経過した場合は、ステップＳ１０に移行し、カップを水平に対して４５°の角度で傾け（ステップＳ１０）、カップ内のニスにシワが発生したか否かを判定する（ステップＳ１２）。
【０１２５】
シワが発生していない場合は、カップを水平に戻し（ステップＳ１４）、ステップＳ８の処理に戻る。カップを傾けて水平に戻すまでの時間は１秒程度とする。
【０１２６】
ステップＳ８では、カップを傾けてから１分間が経過したか否かを判定し、さらに１分間が経過した場合はステップＳ１０に移行する。即ち、１分おきにカップを傾けて、ニスにシワが発生するか否かを判定する。
【０１２７】
シワが発生した場合は、ホットプレート上に載置してからニスにシワが発生するまでの経過時間をこのニスの皮膜化時間に決定して（ステップＳ１６）、本フローチャートの処理を終了する。皮膜化時間の単位は分とする。
【０１２８】
以上のように、各市販のニス、又は市販のニスを混合したニスの皮膜化時間を予め取得した。
【０１２９】
〔用紙と処理液の接触角〕
本実施形態では、用紙に対する処理液の浸透しやすさの指標として、接触角を用いる。
【０１３０】
接触角は、処理液を用紙の表面に２マイクロリットル滴下し、滴下してから３００ミリ秒後の処理液と用紙との接触角を、協和界面科学株式会社製接触角計ＤｒｏｐＭａｓｔｅｒを用いて測定した値と定義する。
【０１３１】
〔実験条件〕
出力装置として、富士フイルム株式会社製Ｊｅｔ Ｐｒｅｓｓを使用した。Ｊｅｔ Ｐｒｅｓｓは、インライン方式のニスコータを具備している。
【０１３２】
処理液は、処理液Ｌを使用した。処理液Ｌの処方を以下に示す。
【０１３３】
・有機酸・・・・・・・・・・１５〜２５質量％（本実験では２０質量％）
有機酸としては、マロン酸、リンゴ酸、クエン酸等を使用することができる。
【０１３４】
・ラテックス・・・・・・・・１０〜２０質量％（本実験では１３質量％）
・溶剤・・・・・・・・・・・１〜１０質量％（本実験では２質量％）
溶剤としては、DEGmBE（ジエチレングリコールモノブチルエーテル）、DEGmEE（ジエチレングリコールモノエチルエーテル）等を使用することができる。
【０１３５】
・水・・・・・・・・・・・・合計で１００質量％となる残量
ニスは、ニスＶＡ〜ニスＶＦを使用した。ニスＶＡ〜ニスＶＦの品名及びメーカを表１に示す。ニスＶＡ〜ニスＶＦの皮膜化時間を測定したところ、それぞれ２０分、１２分、９分、４分、２０分、及び１１分であった。
【０１３６】
【表１】
2019054150.tif 000003
【０１３７】
また、用紙は、用紙ＰＡ〜用紙ＰＦを使用した。用紙ＰＡ〜用紙ＰＦの品名及びメーカを表２に示す。処理液Ｌと用紙ＰＡ〜用紙ＰＦとの接触角を測定したところ、それぞれ５４．６°、６２．３°、６９．５°、７５．２°、８２．３°、及び８５．７°であった。
【０１３８】
【表２】
2019054150.tif 000004
【０１３９】
処理液塗布量（付与量の一例）として、１．０、１．５、及び２．０ｇｓｍ（グラム毎平方メートル）の３条件について評価した。また、ニス塗布量（付与量の一例）として、３．５、４．５、及び６．０ｇｓｍ（グラム毎平方メートル）の３条件について評価した。
【０１４０】
評価フローとしては、印刷動作で処理液塗布、及びインラインニスコートを実施し、５０枚目の先端塗布異常の発生レベルを調べた。先端塗布異常は、非画像部分のニスの塗布開始位置（先端部分）の塗布具合を目視評価した。先端塗布異常の発生レベルの分類は以下の通りである。
【０１４１】
Ａ：発生なし
Ｂ：わずかに発生するが許容内
Ｃ：部分的に発生（許容外）
Ｄ：全体的に発生（許容外）
〔皮膜化時間と接触角と先端塗布異常の発生レベルの関係〕
図６は、６種類のニス及び６種類の用紙の各組み合わせについて、処理液塗布量及びニス塗布量の条件を異ならせた場合の先端塗布異常の発生レベルを評価した結果を示す図表である。
【０１４２】
図６に示すように、皮膜化時間が長いニスほど、また処理液と用紙との接触角が小さいほど、先端塗布異常が良化していくことがわかる。処理液と用紙との接触角が７０°未満であれば、ニスの皮膜化時間によらず先端塗布異常は許容内となるが、接触角が７０°以上の場合は皮膜化時間が９分以上のニスでないと、先端塗布異常は許容内とならない。さらに、皮膜化時間が１２分以上のニスであれば、接触角の値によらず先端塗布異常が発生しないことがわかる。
【０１４３】
このように、先端塗布異常を防止するために、処理液塗布部２０は皮膜化時間が９分以上のニスを塗布することが好ましい。さらに、皮膜化時間が１２分以上のニスを用いることがさらに好ましい。皮膜化時間が１２分以上のニスを用いることで、装置環境等の外乱に対するロバスト性を確保することができる。
【０１４４】
なお、印刷物の生産性の観点から、皮膜化時間が２０分以下のニスを用いることが好ましい。
【０１４５】
また、処理液の塗布量は２．０グラム毎平方メートル以下が好ましく、ニス塗布量は３．５グラム毎平方メートル以上が好ましい。処理液の塗布量が過剰、又はニス塗布量が少なすぎると、先端塗布異常が悪化する懸念があるためである。
【０１４６】
〔乾燥防止剤による皮膜化時間の調整〕
上記のように、接触角が７０°以上の場合は、先端塗布異常を防止するためには皮膜化時間が９分以上のニスを用いる必要がある。しかしながら、ニスの種類によっては皮膜化時間が９分未満の場合もある。この場合、ニスに乾燥防止剤を添加することによって、ニスの皮膜化時間を延ばし、先端塗布異常の発生を抑制することができる。
【０１４７】
ニスに添加する乾燥防止剤としては、主に溶剤が好ましく、特にプロピレングリコール、２−メチル−１，３−プロパンジオール、Ｎ−メチルジエタノールアミンが好ましい。なお、これらは一例であり、一般的な溶剤であれば特に限定はされない。
【０１４８】
皮膜化時間の具体的な調整方法としては、事前にニスに溶剤を添加し、前述の測定方法によって皮膜化時間を測定し、添加する量を決定しておくことが好ましい。印刷装置のニスタンクに少量ずつ溶剤を添加しながら、皮膜化時間を測定することによって、調整することも可能である。
【０１４９】
図７は、ニスＶＤに対して、乾燥防止剤としてプロピレングリコールを５質量％及び１０質量％添加したもの、２−メチル−１，３−プロパンジオールを５質量％及び１０質量％添加したもの、及びＮ−メチルジエタノールアミンを２質量％及び４質量％添加したものについて皮膜化時間及び先端塗布異常の発生レベルについて評価した結果を示す図表である。なお、用紙ＰＥを使用し、処理液塗布量は１．５ｇｓｍ、ニス塗布量は４．５ｇｓｍの条件で実施した。
【０１５０】
図７に示すように、皮膜化時間が９分以上の場合に、先端塗布異常が許容内となった。
【０１５１】
〔クリアインクの付与〕
色材成分を含有する着色インク（シアンのインク、マゼンタのインク、イエロのインク、及びブラックのインク）が付与される領域（画像部分）以外の領域（非画像部分）に色材成分を含有しない（非含有の）クリアインクを付与することによって、非画像部分の凝集反応を緩和し、先端塗布異常を改善することができる。
【０１５２】
クリアインクは、着色インクに対して色材成分（ここでは顔料）に相当する量だけラテックス量を補填する。このように、クリアインクと着色インクとは凝集成分の量が等しいことが好ましい。また粘度についても、クリアインクと着色インクとは粘度が等しいことが好ましい。ここでの等しいとは、厳密な意味での同量に限定されず、本実施形態の効果が認められる範囲で実質的に同量である場合を含む概念である。
【０１５３】
図８は、ニスＶＤ及び用紙ＰＥの組み合わせにおいて、非画像部分にクリアインクを２．０ピコリットル／画素付与したもの、及び４．０ピコリットル／画素付与したものについて先端塗布異常の発生レベルについて評価した結果を示す図表である。なお、処理液塗布量は１．５ｇｓｍ、ニス塗布量は４．５ｇｓｍの条件で実施した。
【０１５４】
図８に示すように、非画像部分にクリアインクを付与すると、接触角が８２．３°、皮膜化時間が４分の組み合わせであっても、先端塗布異常が許容内となった。
【０１５５】
〔ニス版の清掃〕
ニス版６３に自動クリーニング機構（清掃部の一例）をつけることも効果的である。ニスを用紙Ｐに転写してからアニロクスローラ６４によってニスを供給されるまでの区間に、クリーニング機構を設けることが好ましい。このタイミングでニスの固化析出物をクリーニング機構によって除去する。具体的にはブラシのような部材を当接させることによりニスの固化析出物を掻き取るような機構が好ましい。
【０１５６】
図９は、ニスＶＤ及び用紙ＰＥの組み合わせにおいて、ニス版６３を清掃するクリーニング機構を設けた場合の先端塗布異常の発生レベルについて評価した結果を示す図表である。なお、処理液塗布量は１．５ｇｓｍ、ニス塗布量は４．５ｇｓｍの条件で実施した。
【０１５７】
図９に示すように、ニス版６３にクリーニング機構を設けることで、接触角が８２．３°、皮膜化時間が４分の組み合わせであっても、先端塗布異常が許容内となった。
【０１５８】
＜ニス情報出力方法＞
図１０は、インクジェット印刷装置１において使用する処理液、用紙、及びニスの最適な組み合わせを選択する選択装置１００のブロック図である。選択装置１００は、インクジェット印刷装置１の一部であってもよいし、選択装置１００単独で構成されていてもよい。図１０に示すように、選択装置１００は、入力部１０２、記憶部１０４、選択部１０６、及び表示部１０８を備えている。
【０１５９】
入力部１０２は、ユーザが処理液及び用紙の情報を入力するためのインターフェースであり、マウス及びキーボード等の入力デバイスを備えている。入力部１０２は、コンピュータ等の外部機器との間で処理液及び用紙の情報の送受信等を行うための有線又は無線の通信インターフェースであってもよい。
【０１６０】
記憶部１０４は、ハードディスク装置等の記憶デバイスであり、複数の処理液と複数の用紙との組み合わせ毎の接触角をそれぞれ記憶している。また、複数の種類のニスとそのニスの皮膜化時間とをそれぞれ関連付けて記憶している。記憶部１０４は、接触角と皮膜化時間との関係における先端塗布異常の発生レベルに基づいて、適切な（先端塗布異常が発生しない）処理液、用紙、及びニスの組み合わせを記憶してもよいし、不適切な（先端塗布異常が発生する）処理液、用紙、及びニスの組み合わせを記憶してもよい。
【０１６１】
さらに、記憶部１０４は、ニスと、そのニスの皮膜化時間を９分以上とするための乾燥防止剤及びその添加量を記憶してもよいし、皮膜化時間を１２分以上とするための乾燥防止剤及びその添加量を記憶してもよい。
【０１６２】
選択部１０６は、入力部１０２から入力された処理液及び用紙の情報に基づいて、インクジェット印刷装置１において使用可能なニスを選択する。また、入力部１０２から入力された処理液及びニスの情報に基づいて、インクジェット印刷装置１において使用可能な用紙を選択する。また、入力部１０２から入力されたニスの情報に基づいて、そのニスの皮膜化時間を９分以上又は１２分以上とするための乾燥防止剤及びその添加量を選択する。
【０１６３】
表示部１０８は、選択部１０６で選択された情報を表示するためのインターフェースであり、液晶モニタ等の表示デバイスを備えている。
【０１６４】
図１１は、選択装置１００によるニス情報出力方法の処理を示すフローチャートである。
【０１６５】
ステップＳ２１において、ユーザはインクジェット印刷装置１の処理液塗布部２０で使用する処理液の情報を入力部１０２（処理液情報入力部の一例）から入力する（処理液情報入力工程の一例）。
【０１６６】
次に、ステップＳ２２において、ユーザはインクジェット印刷装置１で使用する用紙Ｐの情報を入力部１０２（記録媒体情報入力部の一例）から入力する（記録媒体情報入力工程の一例）。
【０１６７】
続いて、ステップＳ２３において、選択部１０６（接触角取得部の一例）は、ステップＳ１で入力された処理液とステップＳ２で入力された用紙Ｐとの接触角を記憶部１０４から取得する（接触角取得工程の一例）。選択部１０６において接触角を実際に測定してもよい。
【０１６８】
さらに、ステップＳ２４において、選択部１０６は、ステップＳ２３で取得した接触角が７０°以上であるか否かを判定する。接触角が７０°以上の場合はステップＳ２５に移行し、接触角が７０°未満の場合はステップＳ２６に移行する。
【０１６９】
ステップＳ２５では、選択部１０６は、記憶部１０４に記憶された複数のニスから皮膜化時間が９分以上のニスを選択する（選択工程の一例）。皮膜化時間が９分以上のニスは、乾燥防止剤が予め添加されることで皮膜化時間を９分以上としたニスであってもよい。また、皮膜化時間が９分未満のニスを選択し、併せて乾燥防止剤及び乾燥防止剤の添加量を選択してもよい。選択されるニスは複数でもよい。
【０１７０】
また、ステップＳ２６では、選択部１０６は、記憶部１０４に記憶された複数のニスから予め定められたニスを選択する（選択工程の一例）。例えば、複数のニスから使用可能なニスを選択すればよい。処理液と用紙との接触角が７０°未満であれば、ニスの皮膜化時間によらず先端塗布異常は許容内となるため、予め定められたニスは皮膜化時間が９分以上のニスであってもよいし、生産性の観点から皮膜化時間が９分未満のニスであってもよい。選択されるニスは複数でもよい。
【０１７１】
最後に、ステップＳ２７において、選択部１０６で選択したニスの情報を表示部１０８（出力部の一例）に表示する（出力工程の一例）。これにより、ユーザは、使用する処理液及び用紙に応じた、適切なニスを使用することができる。
【０１７２】
＜記録媒体情報出力方法＞
図１２は、選択装置１００による記録媒体情報出力方法の処理を示すフローチャートである。
【０１７３】
ステップＳ３１において、ユーザはインクジェット印刷装置１の処理液塗布部２０で使用する処理液の情報を入力部１０２（処理液情報入力部の一例）から入力する（処理液情報入力工程の一例）。
【０１７４】
次に、ステップＳ３２において、ユーザはインクジェット印刷装置１のニス塗布部６０で使用するニスの情報を入力部１０２（ニス情報入力部の一例）から入力する（ニス情報入力工程の一例）。
【０１７５】
続いて、ステップＳ３３において、選択部１０６（皮膜化時間取得部の一例）は、ステップＳ１２で入力されたニスの皮膜化時間を記憶部１０４から取得する（皮膜化時間取得工程の一例）。選択部１０６がニスの皮膜化時間を実際に測定してもよい。
【０１７６】
さらに、ステップＳ３４において、選択部１０６は、ステップＳ３３で取得した皮膜化時間が９分以上であるか否かを判定する。皮膜化時間が９分以上の場合はステップＳ３５に移行し、皮膜化時間が９分未満の場合はステップＳ３６に移行する。
【０１７７】
ステップＳ３５では、選択部１０６は、記憶部１０４に記憶された複数の用紙から予め定められた用紙を選択する（選択工程の一例）。例えば、複数の用紙から使用可能な用紙を選択すればよい。皮膜化時間が９分以上のニスであれば、接触角によらず先端塗布異常は許容内となるため、予め定められた用紙は、ステップＳ３１で入力された処理液に対する接触角が７０°以上の用紙であってもよい。選択される用紙は複数であってもよい。
【０１７８】
また、ステップＳ３６では、選択部１０６は、記憶部１０４に記憶された複数の用紙からステップＳ１１で選択された処理液との接触角が７０°未満の用紙を選択する（選択工程の一例）。選択される用紙は複数であってもよい。接触角が７０°以上の用紙を選択し、かつステップＳ３２で入力されたニスの皮膜化時間を９分以上とするための乾燥防止剤及び乾燥防止剤の添加量を選択してもよい。
【０１７９】
最後に、ステップＳ３７において、選択部１０６で選択した用紙の情報を表示部１０８（出力部の一例）に表示する（出力工程の一例）。これにより、ユーザは、使用する処理液及びニスに応じた、適切な用紙を使用することができる。
【０１８０】
＜その他＞
ここでは、印刷装置においてインライン方式でニスコートを行う例を説明したが、ニスの塗布はインラインに限定されず、印刷装置とは別のニスコート装置を用いて、オフライン又はオンラインで実施してもよい。
【０１８１】
ここで、オフラインによるニスコートとは、印刷とニスコートと別々に行われる形態であり、それぞれの処理が完全に独立して行われる。この場合、印刷装置で集積した用紙をニスコート装置にセットして、ニスコートの処理が行われる。したがって、オフラインによるニスコートでは、印刷後に用紙が一旦集積されるという特質を有する。また、印刷からニスコートまでの時間間隔が長くなる傾向にある。
【０１８２】
一方、オンラインによるニスコートとは、印刷とニスコートとを一連の処理として連続的に行う形態である。オンラインによるニスコートは、印刷装置とニスコート装置とを直列的に接続することにより実施される。即ち、印刷装置から排紙される用紙をそのままニスコート装置に給紙することにより、連続した処理を可能にする。オンラインによるニスコートとは、印刷とニスコートとが連続して行われる点でインラインによるニスコートと共通するが、印刷とニスコートとが別々の装置で行われる点で相違する。そして、この相違により、ニスコートまでの時間間隔がインラインによるニスコートよりも長くなるという特質を有する。なお、オンラインによるニスコートは、印刷装置から排紙される用紙が、そのままニスコート装置に給紙されるため、印刷後の用紙がニスコート前に集積されない、という点でオフラインによるニスコートと相違する。
【０１８３】
上記の印刷方法、ニス情報出力方法、及び記録媒体情報出力方法は、各工程をコンピュータに実現させるためのプログラムとして構成し、このプログラムを記憶したＣＤ−ＲＯＭ（Compact Disk-Read Only Memory）等の非一時的な記録媒体を構成することも可能である。
【０１８４】
ここまで説明した実施形態において、例えば、入力部１０２、選択部１０６、及び表示部１０８等の各種の処理を実行する処理部（processing unit）のハードウェア的な構造は、次に示すような各種のプロセッサ（processor）である。各種のプロセッサには、ソフトウェア（プログラム）を実行して各種の処理部として機能する汎用的なプロセッサであるＣＰＵ（Central Processing Unit）、ＦＰＧＡ（Field Programmable Gate Array）等の製造後に回路構成を変更可能なプロセッサであるプログラマブルロジックデバイス（Programmable Logic Device：ＰＬＤ）、ＡＳＩＣ（Application Specific Integrated Circuit）等の特定の処理を実行させるために専用に設計された回路構成を有するプロセッサである専用電気回路等が含まれる。
【０１８５】
１つの処理部は、これら各種のプロセッサのうちの１つで構成されていてもよいし、同種又は異種の２つ以上のプロセッサ（例えば、複数のＦＰＧＡ、あるいはＣＰＵとＦＰＧＡの組み合わせ）で構成されてもよい。また、複数の処理部を１つのプロセッサで構成してもよい。複数の処理部を１つのプロセッサで構成する例としては、第１に、サーバ及びクライアント等のコンピュータに代表されるように、１つ以上のＣＰＵとソフトウェアの組合せで１つのプロセッサを構成し、このプロセッサが複数の処理部として機能する形態がある。第２に、システムオンチップ（System On Chip：ＳｏＣ）等に代表されるように、複数の処理部を含むシステム全体の機能を１つのＩＣ（Integrated Circuit）チップで実現するプロセッサを使用する形態がある。このように、各種の処理部は、ハードウェア的な構造として、各種のプロセッサを１つ以上用いて構成される。
【０１８６】
さらに、これらの各種のプロセッサのハードウェア的な構造は、より具体的には、半導体素子等の回路素子を組み合わせた電気回路（circuitry）である。
【０１８７】
本発明の技術的範囲は、上記の実施形態に記載の範囲には限定されない。各実施形態における構成等は、本発明の趣旨を逸脱しない範囲で、各実施形態間で適宜組み合わせることができる。
【符号の説明】
【０１８８】
１  インクジェット印刷装置
１０  給紙部
１１  給紙装置
１２  フィーダボード
１３  給紙ドラム
２０  処理液塗布部
２１  処理液塗布ドラム
２２  処理液塗布装置
３０  処理液乾燥部
３１  処理液乾燥ドラム
３２  第１用紙ガイド
３３  ドライヤ
４０  画像記録部
４１  画像形成ドラム
４２  用紙押さえローラ
４３Ｃ  インクジェットヘッド
４３Ｋ  インクジェットヘッド
４３Ｍ  インクジェットヘッド
４３Ｙ  インクジェットヘッド
４４  スキャナ
５０  インク乾燥部
５１  第１チェーンデリバリ
５２  第２用紙ガイド
５３  第１加熱装置
５６  第１温度検出部
６０  ニス塗布部
６１  ニス塗布搬送ドラム
６２  ニス塗布ローラ
６３  ニス版
６３Ａ  凹部
６３Ｂ  凹部
６３Ｃ  先端部分
６３Ｄ  先端部分
６３Ｎ  平面部
６４  アニロクスローラ
６５  ニスチャンバ
６６  ニス循環装置
７０  ニス後処理部
７０Ａ  第２加熱装置
７１  第２チェーンデリバリ
７２  第三用紙ガイド
８０  集積部
８１  集積装置
９４  第２温度検出部
９６  パウダー噴霧部
１００  選択装置
１０２  入力部
１０４  記憶部
１０６  選択部
１０８  表示部
ＡＡ  領域
ＡＢ  領域
ＡＣ  境界部分
ＡＤ  境界部分
ＡＮ  領域
Ｐ  用紙
Ｓ２〜Ｓ１６  ニスの皮膜化時間の測定方法の工程
Ｓ２１〜Ｓ２７  ニス情報出力方法の工程
Ｓ３１〜Ｓ３７  記録媒体情報出力方法の工程
【図１】
2019054150.tif 000005
【図２】
2019054150.tif 000006
【図３】
2019054150.tif 000007
【図４】
2019054150.tif 000008
【図５】
2019054150.tif 000009
【図６】
2019054150.tif 000010
【図７】
2019054150.tif 000011
【図８】
2019054150.tif 000012
【図９】
2019054150.tif 000013
【図１０】
2019054150.tif 000014
【図１１】
2019054150.tif 000015
【図１２】
2019054150.tif 000016
【国際調査報告】
2019054150.tif 000017
2019054150.tif 000018